(57)【要約】【課題】インクジェット記録装置において、記録バッファ用のメモリ容量を増すことなく、特に全体的な記録速度の低下を招くことなく高解像度の記録を可能とする。【解決手段】１つの色のインクを吐出する２組の吐出口列のうち、記録に用いる吐出口列を１組（○）とする。これにより、１色あたりの吐出口列に供給するドットデータを保持する記録バッファの容量を、２組の吐出口列を用いるモードの半分とすることができる。この場合に、１組の吐出口列を用いて記録を行うことから、１回の主走査で記録されるドットの副走査方向における配列密度を１／１２００とすることができる。これにより、１回の走査で比較的高密度の記録を実現することができる。【選択図】図５
2008000921.tif 000002
【特許請求の範囲】
【請求項１】
１種類のインクについて複数の吐出口列を備えた記録ヘッドであって、前記複数の吐出口列のそれぞれが副走査方向に複数の吐出口を配列した記録ヘッドを用い、該記録ヘッドを主走査方向に走査して記録媒体に記録を行うインクジェット記録装置において、
１回の前記記録ヘッドの走査において、主走査方向に配列するドットを、１種類のインクの複数の吐出口列それぞれの吐出口から吐出されるインクによって形成する第１記録モードの実行を制御する第１記録制御手段と、
１回の前記記録ヘッドの走査において、主走査方向に配列するドットを、１種類のインクの１つの吐出口列の吐出口から吐出されるインクによって形成する記録モードであって、前記第１記録モードより走査速度の遅い第２記録モードの実行を制御する第２記録制御手段と、
を具えたことを特徴とするインクジェット記録装置。
【請求項２】
前記第１記録モードで用いるインクの種類の数よりも第２記録モードで用いるインクの種類の数の方が多いことを特徴とする請求項１に記載のインクジェット記録装置。
【請求項３】
前記複数の吐出口列のそれぞれの副走査方向における吐出口の配列密度は、前記第１および第２記録モードそれぞれで形成されるドットの主走査方向の配列密度を同じであることを特徴とする請求項１または２に記載のインクジェット記録装置。
【請求項４】
１種類のインクについて複数の吐出口列を備えた記録ヘッドであって、前記複数の吐出口列のそれぞれが副走査方向に複数の吐出口を配列した記録ヘッドを用い、該記録ヘッドを主走査方向に走査して記録媒体に記録を行うインクジェット記録装置の記録方法において、
１回の前記記録ヘッドの走査において、主走査方向に配列するドットを、１種類のインクの複数の吐出口列それぞれの吐出口から吐出されるインクによって形成する第１記録モードを実行する第１記録工程と、
１回の前記記録ヘッドの走査において、主走査方向に配列するドットを、１種類のインクの１つの吐出口列の吐出口から吐出されるインクによって形成する記録モードであって、前記第１記録モードより走査速度の遅い第２記録モードを実行する第２記録工程と、
前記第１記録モードと前記第２記録モードとを切り替える工程と、
を有したことを特徴とする記録方法。
【請求項５】
前記第１記録モードで用いるインクの種類の数よりも第２記録モードで用いるインクの種類の数の方が多いことを特徴とする請求項４に記載の記録方法。
【請求項６】
前記複数の吐出口列のそれぞれの副走査方向における吐出口の配列密度は、前記第１および第２記録モードそれぞれで形成されるドットの主走査方向の配列密度を同じであることを特徴とする請求項３または４に記載の記録方法。
【請求項７】
同じインクを吐出する複数の吐出口を配列した吐出口列を複数備えた記録ヘッドを主走査方向に走査して記録媒体に記録を行なうインクジェット記録装置において、
１回の前記記録ヘッドの走査において、前記複数の吐出口列の少なくとも一つの吐出口列それぞれの吐出口から吐出されるインクによって記録を行なう第１記録モードの実行を制御する第１記録制御手段と、
１回の前記記録ヘッドの走査において、前記第１記録モードの記録において用いられる吐出口列よりも多い吐出口列それぞれの吐出口から吐出されるインクによって記録を行なう記録モードであって、前記第１記録モードより前記記録ヘッドの走査速度の早い第２記録モードの実行を制御する第２記録制御手段と、
を備えたことを特徴とするインクジェット記録装置。
【発明の詳細な説明】
【技術分野】
【０００１】
本発明は、インクジェット記録装置および記録方法に関し、詳しくは、ドットを記録するインク吐出口など記録素子に対するドットデータの割り当てに関するものである。また、本発明は、プリンタ、プリンタを一体にまたは別体に有する複写機、ファクシミリ、ワードプロセッサー、デジタルカメラ等のプリントシステムにおける記録方法に関する。
【背景技術】
【０００２】
種々の記録方式の中でも、インクジェット記録方式は、作動時における騒音が小さいこと、高速記録が可能であること等の利点を有し、最近では記録方式の主流となりつつある。この方式に用いる記録ヘッドの吐出方式の１つとして、熱エネルギーをインクに作用させてインクに膜沸騰による気泡を生じさせ、この気泡の圧力によって吐出口からインクを吐出させるものが知られている。他の吐出方式として、ピエゾ素子を用いた方式も知られている。前者の吐出方式は、記録ヘッドの吐出口を高密度に配列でき、また、カラー化への対応も容易であるなど種々の利点を有している。これらの点から、この方式は、高解像度、高品質の記録を高速で行うことが容易に可能であり、また、複写機、ファクシミリ、ワードプロセッサー、デジタルカメラ等多くの機器の画像出力機器として幅広く用いられている。さらに、これらの画像出力機器では、普通紙、ＯＨＰ用紙、画材用紙、和紙、写真用紙等の様々な厚さや素材の用紙に対応して記録することが可能となっている。
【０００３】
ところで、以上のような記録装置では、記録の高速化や高画質化が一つの大きな傾向である。例えば、記録速度は、記録ヘッドにおける吐出口など記録素子の数を増すことによって対応している。また、画質は、従来のスジないしムラの抑制や粒状感の低減に加えて、色再現域の拡大のために用いるインクなど色材の種類の数を増して対応している。そして、このような記録の高速化、高画質化のための構成に対応して、メモリ容量が増加し、また、それに応じてデータ処理等のハードウェアが高性能化している。しかし、このようなメモリ容量の増加などは、装置のコスト増大を招くものである。
【０００４】
このような問題を解決すべく、特許文献１には、記録ヘッドで使用する吐出口を記録モードないし記録する画像によって制限しメモリ容量を削減する技術が記載されている。具体的には、１つのインク色について吐出量が大、小異なる吐出口（以下、単に「大吐出口」、「小吐出口」ともいう）を記録媒体搬送方向に交互に配列した記録ヘッドを用い、記録モードないし記録する画像ごとに大吐出口または小吐出口を使用して記録を行う。これにより、大、小吐出口を同時に用いる場合の記録バッファに必要なメモリ容量よりも少ない容量としている。
【０００５】
【特許文献１】特開２００４−７４４６６号公報
【発明の開示】
【発明が解決しようとする課題】
【０００６】
しかしながら、特許文献１に記載の構成では、それぞれ大吐出口または小吐出口を用いた記録において、記録媒体搬送方向における吐出口の配列密度が半分になる。このため、高い解像度（例えば、上記の大、小吐出口を交互に配列した配列密度に対応した解像度）の記録を行う場合には、記録媒体の搬送で上記配列密度の半分をずらした走査領域に対して重複した走査を行う必要がある。その結果、走査回数が多くなり、高密度記録を行う際に記録速度が低下するという問題が生じる。
【０００７】
本発明の目的は、上述の点から、記録バッファ用のメモリ容量を増すことなく、また、特に全体的な記録速度の低下を招くことなく高解像度の記録を可能とするインクジェット記録装置および記録方法を提供することである。
【課題を解決するための手段】
【０００８】
そのために本発明では、１種類のインクについて複数の吐出口列を備えた記録ヘッドであって、前記複数の吐出口列のそれぞれが副走査方向に複数の吐出口を配列した記録ヘッドを用い、該記録ヘッドを主走査方向に走査して記録媒体に記録を行うインクジェット記録装置において、１回の前記記録ヘッドの走査において、主走査方向に配列するドットを、１種類のインクの複数の吐出口列それぞれの吐出口から吐出されるインクによって形成する第１記録モードの実行を制御する第１記録制御手段と、１回の前記記録ヘッドの走査において、主走査方向に配列するドットを、１種類のインクの１つの吐出口列の吐出口から吐出されるインクによって形成する記録モードであって、前記第１記録モードより走査速度の遅い第２記録モードの実行を制御する第２記録制御手段と、を具えたことを特徴とする。
【０００９】
また、１種類のインクについて複数の吐出口列を備えた記録ヘッドであって、前記複数の吐出口列のそれぞれが副走査方向に複数の吐出口を配列した記録ヘッドを用い、該記録ヘッドを主走査方向に走査して記録媒体に記録を行うインクジェット記録装置の記録方法において、１回の前記記録ヘッドの走査において、主走査方向に配列するドットを、１種類のインクの複数の吐出口列それぞれの吐出口から吐出されるインクによって形成する第１記録モードを実行する第１記録工程と、１回の前記記録ヘッドの走査において、主走査方向に配列するドットを、１種類のインクの１つの吐出口列の吐出口から吐出されるインクによって形成する記録モードであって、前記第１記録モードより走査速度の遅い第２記録モードを実行する第２記録工程と、前記第１記録モードと前記第２記録モードとを切り替える工程と、を有したことを特徴とする。
【００１０】
さらにまた、同じインクを吐出する複数の吐出口を配列した吐出口列を複数備えた記録ヘッドを主走査方向に走査して記録媒体に記録を行なうインクジェット記録装置において、１回の前記記録ヘッドの走査において、前記複数の吐出口列の少なくとも一つの吐出口列それぞれの吐出口から吐出されるインクによって記録を行なう第１記録モードの実行を制御する第１記録制御手段と、１回の前記記録ヘッドの走査において、前記第１記録モードの記録において用いられる吐出口列よりも多い吐出口列それぞれの吐出口から吐出されるインクによって記録を行なう記録モードであって、前記第１記録モードより前記記録ヘッドの走査速度の早い第２記録モードの実行を制御する第２記録制御手段と、を備えたことを特徴とする。
【発明の効果】
【００１１】
以上の構成によれば、第１記録モードを実行することにより、高速かつ主走査方向における高密度の記録が可能となるとともに、用いるインクの種類を低減することによって、記録バッファ容量増大を抑制することができる。一方、第２記録モードは、第１記録モードに比べて走査速度が遅いものとなる。しかし、記録に用いる吐出口列を１組とすることから、１種類のインクあたりの吐出口列に供給するドットデータを保持する記録バッファの容量は、第１記録モードの半分となる。例えば、２組の吐出口列を用い総ての種類のインクを用いる場合の１／２のバッファ容量で済ませることができる。また、この場合に、１組の吐出口列を用いて記録を行うことから、１回の主走査で記録されるドットの副走査方向における配列密度を吐出口の配列密度と同じものとすることができる。これにより、１回の走査で比較的高密度の記録を実現することができる。すなわち、第２記録モードでは、走査速度が第１記録モードの例えば半分となるが、１回の走査で記録を完成することが可能であることから、特に高密度記録を行う場合の全体的な記録速度の低下を抑制することができる。
【００１２】
以上の結果、記録バッファ用のメモリ容量を増すことなく、また、特に全体的な記録速度の低下を招くことなく高解像度の記録が可能となる。
【発明を実施するための最良の形態】
【００１３】
以下、図面を参照して本発明の実施形態を詳細に説明する。 
（実施形態１）
インクジェット記録装置の概要
図１は、本発明の一実施形態に係るインクジェットプリンタの概略を示す斜視図である。図１において、キャリッジ１０１には、記録ヘッド１０２とカートリッジホルダ１０３が搭載されている。記録ヘッド１０２は、ブラック、シアン、マゼンタ、イエロー、レッド、グリーン、ブルー、フォトシアン、フォトマゼンタの９種類のインクそれぞれについて設けられてそれぞれのインクを吐出する。カートリッジホルダ１０３には、上記９種類のインクを収容したそれぞれのインクカートリッジ１１０を装着することができる。そして、それぞれのインクカートリッジから対応する記録ヘッドへ、記録ヘッドの吐出動作に対応してそれぞれのインクが供給される。また、図２にて後述する本プリンタ制御部から、フレキシブルケーブル（不図示）を介して記録ヘッド１０２の各吐出口に吐出信号が供給される。
【００１４】
キャリッジ１０１は、２本のガイドレール１０４、１０５に沿って摺動可能に取り付けられ、また、キャリッジ１０１には、キャリアモータによって動作する無端ベルト（以上は不図示）が連結する。これにより、キャリッジ１０１は、キャリアモータの駆動力によって、図中Ｘ方向（以下、このＸ方向を主走査方向という）において往復走行することができる。そして、このキャリッジの走行によって、これに搭載される記録ヘッドは、記録媒体に対して主走査することができる。また、不図示の搬送モータによって駆動される補助ローラ１０７により、記録媒体としての記録用紙１０６は、記録ヘッド１０２による記録が可能な位置まで搬送される。また、記録ヘッドの主走査による１行記録毎に同じく不図示の搬送モータによって駆動される搬送ローラ１０８、１０９が記録用紙１０６をＹ方向（以下、このＹ方向を副走査方向という）に搬送する。
【００１５】
図２は、上述したインクジェットプリンタの主に制御構成を示すブロック図である。ホストコンピュータから記録すべき画像データや記録モード情報が記録装置の受信バッファ４０１に入力される。また、正しくデータが転送されているか否かを確認するデータが記録装置からホストコンピュータに返される。受信バッファ４０１が受け取った画像データはＣＰＵ４０２の管理の下、メモリ部４０３に転送され、ＲＡＭ（ランダムアクセスメモリ）に一時的に記憶される。この一時的に記憶された画像データは、記録ヘッド１０２の駆動に供する吐出データ（ドットデータともいう）に変換されるとともに、図４にて後述されるドットデータを記録ヘッドの各吐出口に割り当てる処理が行われ、同じメモリの記録バッファに格納される。
【００１６】
メカコントロール部４０４は、ＣＰＵ４０２からの指令によりキャリッジモータやラインフィードモータなどのメカ部４０５を駆動する。センサ／ＳＷコントロール部４０６は各種センサやＳＷ（スイッチ）より構成されるセンサ／ＳＷ部４０７からの信号をＣＰＵ４０２に送る。表示素子コントロール部４０８は、ＣＰＵ４０２からの指令により表示パネル群のＬＥＤなどの表示素子部４０９を制御する。ヘッドコントロール部４１０はＣＰＵからの指令により、上述の記録バッファに格納されたドットデータに基づいて記録ヘッド１０２の駆動を制御する。また、記録ヘッド１０２の状態を示す温度情報などを取り込み、ＣＰＵ４０２に伝える。以上の制御構成において、ＣＰＵ４０２は、図４にて後述する処理手順のプログラムを含む種々のプログラムに従って、本プリンタにおけるデータ処理、制御を実行する。
【００１７】
記録ヘッド
図３は、図１で説明した記録ヘッド１０２を吐出口が設けられた面から見た図である。本実施形態の記録ヘッドは、ブラック（Ｋ）、フォトシアン（ＬＣ）、シアン（Ｃ）、同じくフォトマゼンタ（ＬＭ）、マゼンタ（Ｍ）、イエロー（Ｙ）、レッド（Ｒ）、グリーン（Ｇ）、ブルー（Ｂ）の９色のインクについてそれぞれ吐出口列を備える。
【００１８】
図３において、２０１ａ〜２０１ｄで示す吐出口列は、それぞれブラック（Ｋ）インクを吐出する吐出口列である。各吐出口からは、５ｐｌのインク滴が吐出される。吐出口列２０１ａ〜２０１ｄは主走査方向に並び、それぞれ６４０個の吐出口を含んでいる。吐出口列２０１ａ〜２０１ｄのそれぞれで、副走査方向において隣接する吐出口間の距離ａは、１／６００インチである。また、吐出口列２０１ａと２０１ｂ、吐出口列２０１ｃと２０１ｄとの間で吐出口位置の副走査方向のずれ量ｂは、１／１２００インチである。さらに、吐出口列２０１ａ、２０１ｃと、吐出口列２０１ｂ、２０１ｄは、副走査方向に関して同じ位置にある。他の色についても、吐出口列における吐出口の数および配置は同様である。
【００１９】
各色の吐出口列は、２組の吐出口列、上記Ｋインクの例では、吐出口列２０１ａと２０１ｂの組（以下では、Ｉで参照する）と、吐出口列２０１ｃと２０１ｄの組（以下では、ＩＩで参照する）である。このように吐出口の組Ｉ、ＩＩを２つ設けることにより、図４以降で後述されるようなメモリ容量を削減できる構成をとることができる。
【００２０】
各色の吐出口列の組Ｉ、ＩＩのそれぞれにおいて、吐出口は、上（図面の上）側から、左側（ａ、ｃ）では１ｓｅｇ、３ｓｅｇ、・・・、１２７９ｓｅｇで参照され、右側（ｂ、ｄ）では２ｓｅｇ、４ｓｅｇ、・・・、１２８０ｓｅｇで参照される。
【００２１】
記録方法
図４は、本発明の第１の実施形態に係る記録処理を示すフローチャートである。同図に示す処理は、ホストコンピュータから送られる画像データおよび記録モード情報に基づいて、本実施形態のプリンタによって実行される。
【００２２】
同図に示すように、記録モード情報が、高速記録モードか高画質記録モードかを判断する（Ｓ４０１）。この判断に応じて、第１記録方法（Ｓ４０３、Ｓ４０４）または第２記録法（Ｓ４０５）が実行される。また、高速記録モードと判断した場合に、７色モードか６色モードかが判断される（Ｓ４０２）。この判断に応じて、第１記録方法の内容が異なる記録が行われる。すなわち、第１記録方法Ａ（Ｓ４０３）または第２記録方法Ｂ（Ｓ４０４）が行われる。
【００２３】
図５（ａ）および（ｂ）は、それぞれ第１記録方法および第２記録方法を説明する図である。これらの図では、説明の簡略化のため、１回の主走査走行によって記録されるドットを、１部の領域である４×４の画素のみについて示している。これらの図において、各画素の距離ａは、１／１２００インチである。また、図５（ａ）に示すように、４×４の画素の左上５００から主走査方向に１ａ〜４ａと番地を割り当てる。同様に、１行下に５ａ〜８ａ、さらにその１行下に９ａ〜１２ａ、一番下の行に１３ａ〜１６ａと番地を割り当てる。また、図５（ｂ）でも同様に１ｂ〜１６ｂと番地割り当てる。
【００２４】
図５（ａ）に示す第１記録方法は、同図の○印（５０１）で示す画素のドットを、吐出口列の組Ｉで記録し、△印（５０２）で示す画素のドットを、吐出口列の組ＩＩで記録する。第１記録方法によって、各画素のドットを記録する吐出口を表１に示す。
【００２５】
【表１】
2008000921.tif 000003
【００２６】
図５（ａ）および表１に示す第１記録方法は、主走査方向において異なるの組Ｉ、ＩＩの吐出口列を交互に用いる。これにより、１つの吐出口に着目したとき、それによって記録される主走査方向のドットの間隔を１／６００インチとすることができる。一方、本実施形態の高速モードでは、主走査方向の走査速度を５０インチ／秒のように比較的高速に動作する。この場合、１つの吐出口の吐出周波数は、６００［ドット／インチ］×５０［インチ・秒］＝３００００［ドット／秒］とすることができる。これにより、５０インチ／秒という高速記録でも、１／１２００インチの間隔、すなわち、高密度でドットを配置することが可能となる。
【００２７】
第１記録方法は、上述した吐出口の割当てないし使用を行う他、用いるインクの種類を制限する。すなわち、図３に示す本実施形態の記録ヘッドを用いて、総ての色のインクについて表１のような記録を実施しようとすると、２組の吐出口列Ｉ、ＩＩに供給するドットデータを保持するための記録バッファの容量が増大する。この点から、使用するインク色の数を制限する。これにより、記録バッファ容量の増大を抑制することができる。
【００２８】
具体的には、色再現を重要視するモード（７色モード）では、９色のうち、ブラック、シアン、マゼンタ、イエロー、レッド、グリーン、ブルーの７色のインクのみを使用する（第１記録方法Ａ）。また、粒状感低減を重視するモード（６色モード）では、ブラック、フォトシアン、シアン、フォトマゼンタ、マゼンタ、イエローの６色のインクのみを使用する（第１記録方法Ｂ）。
【００２９】
以上のように、第１記録方法Ａまたは第１記録方法Ｂを行うことにより、高速かつ高密度の記録が可能となるとともに、記録バッファ容量増大を抑制することができる。具体的には、総てのインク色について、同じ解像度でドットを記録するとすれば、本高速記録モードで９色総てのインクを用いる場合と比べて、それぞれ１／７、１／６のバッファ容量で済ませることができる。
【００３０】
図５（ｂ）に示す第２記録方法は、第１記録方法と異なり、１回の主走査で吐出口列Ｉまたは吐出口列ＩＩの１組の吐出口列のみを用いる。以下では、吐出口列Ｉのみを用いる場合について説明する。
【００３１】
図５（ｂ）において、○印（５０３）で示す画素のドットは、吐出口列Ｉの吐出口によって記録されるドットである。各ドットを記録する吐出口を表２に示す。
【００３２】
【表２】
2008000921.tif 000004
【００３３】
以上、図５（ｂ）および表２に示すように、第２記録方法では、１つの組の吐出口列のみで記録がおこなれる。この場合、仮に走査速度を高速記録モードと同じ５０インチ／秒とすると、各吐出口の吐出周波数は、１２００［ドット／インチ］×５０［インチ・秒］＝６００００［ドット／秒］となり、本実施形態の記録ヘッドの場合吐出不良を発生するおそれがある。そこで、本実施形態では、吐出周波数を３００００［ドット／秒］に抑制すべく、走査速度を２５インチ／秒とする。このように第２記録方法では、第１記録方法に比べて記録速度が遅いものとなる。
【００３４】
しかし、記録に用いる吐出口列を１組とすることから、１色あたりの吐出口列に供給するドットデータを保持する記録バッファの容量は、第１記録方法の半分となる。具体的には、２組の吐出口列を用い９色インク総てを用いる場合の１／２のバッファ容量で済ませることができる。従って、本実施形態では、９色のインク総てを用いた記録を行う。これにより、色再現域が広く、かつ粒状感が低減された記録を行うことが可能となる。
【００３５】
また、この場合に、１組の吐出口列ＩまたはＩＩを用いて記録を行うことから、１回の主走査で記録されるドットの副走査方向における配列密度を１／１２００とすることができる。これにより、１回の走査で比較的高密度の記録を実現することができる。すなわち、本記録方法では、走査速度が第１記録方法の半分となるが、１回の走査で記録を完成することが可能であることから、特に高密度記録を行う場合の全体的な記録速度の低下を抑制することができる。
【００３６】
（実施形態２）
図６は、本発明の第２の実施形態に係る記録方法を説明する図であり、第２記録方法の他の実施形態を示している。すなわち、１組の吐出口列を用いた記録方法を示している。
【００３７】
本実施形態の第２記録方法では、２回の走査で４×４の全ての画素にドットを記録する。○印（６００）で示す画素のドットは、２組の吐出口列Ｉ、ＩＩのうち、一方の組の吐出口列Ｉを用い、第一の走査で記録される。△印（６０１）で示す画素のドットは、同じ１組の吐出口列Ｉを用い、第二の走査で記録される。
【００３８】
そして、第一の走査の記録後、１／１２００インチを単位ピッチとして、副走査方向に６４０ピッチ分紙送りを実施し、第二の走査の記録を実施する。
【００３９】
以上の記録方法において各ドットを記録する吐出口を表３に示す。
【００４０】
【表３】
2008000921.tif 000005
【００４１】
なお、上記の例では、第一の走査、第二の走査共に吐出口列の組Ｉで記録するものとしたが、使用される吐出口列はこれに限定されないことはもちろんであり、もう一方の吐出口列ＩＩを用いてもよい。
【００４２】
本実施例形態の第２記録方法によれば、走査速度が５０インチ／秒の場合、各吐出口の吐出周波数は、６００［ドット／インチ］×５０［インチ・秒］＝３００００［ドット／秒］とすることができる。それによって、５０インチ／秒という高速モードと同じ走査速度で記録することが可能となる。ただし、１回の走査で４×４の画素に１／２のドットが記録されるため、図５（ａ）に示した第１記録方法と比べると全体の記録速度は低下する。
【００４３】
しかし、記録に使用する吐出口列が１色において１／２となることから、１色あたりの吐出口列に供給するドットデータを保持する記録バッファの容量を少なくすることができる。従って、本実施形態の第２記録方法でも、９色インクを総て使用した記録を行い、色再現域の広い、粒状感のない記録が可能となる。また、１回の主走査で記録されるドットの副走査方向における配列密度を１／１２００の比較的高い密度とすることができる。また、主走査方向のドッ密度は、２回の走査によって上記と同じ１／１２００の密度が実現される。この結果、走査を多く行う分記録速度が低下する。しかし、上記のとおり、記録ヘッドの走査速度が高速モードのときと同じものとできるので、全体的な記録速度の低下を少なくすることができる。
【００４４】
（他の実施形態）
上述した各実施形態では、第２記録方法として１組の吐出口列のみを用いるモードを説明した。この場合、所定の記録量ごとに、吐出口列Ｉと吐出口列ＩＩとを切り替えて用いるようにしてもよい。切り替えるタイミングは、例えば、１ページ毎または複数ページ毎、あるいは所定回数の主走査毎等とすることができる。
【００４５】
また、第１記録方法による高速モードで用いるインクの種類の数をｎとし、第２記録方法による高画質モードで用いるインクの種類の数をｍとするとき、本発明はｎ＜ｍの関係を満たすものである。ここで、例えば、ｎ＝ｍ／２の関係を満たすように構成すれば、いずれのモードにおいてもプリンタ全体で用いる吐出口列数が同じになり、記録ヘッドに転送するデータ量を一定にすることができる。
【図面の簡単な説明】
【００４６】
【図１】本発明の一実施形態に係るインクジェットプリンタの概略を示す斜視図である。
【図２】図１に示したインクジェットプリンタの主に制御構成を示すブロック図である。
【図３】図１に示した記録ヘッドを吐出口が設けられた面から見た図である。
【図４】本発明の第１の実施形態に係る記録処理を示すフローチャートである。
【図５】（ａ）および（ｂ）は、上記第１の実施形態に係るそれぞれ第１記録方法および第２記録方法を説明する図である。
【図６】本発明の第２の実施形態に係る第２記録方法を説明する図である。
【符号の説明】
【００４７】
１０１    キャリッジ
１０２    記録ヘッド
２０１    ブラックインクの吐出口列
２０２    フォトシアンインクの吐出口列
２０３    シアンインクの吐出口列
２０４    フォトマゼンタインクの吐出口列
２０５    マゼンタインクの吐出口列
２０６    イエローインクの吐出口列
２０７    レッドインクの吐出口列
２０８    グリーンインクの吐出口列
２０９    ブルーインクの吐出口列
４０２    ＣＰＵ
４０３    メモリ部
【図１】
2008000921.tif 000006
【図２】
2008000921.tif 000007
【図３】
2008000921.tif 000008
【図４】
2008000921.tif 000009
【図５】
2008000921.tif 000010
【図６】
2008000921.tif 000011